(57)【要約】  インスタント自己発熱容器は、容器の内容物を加熱するための発熱反応を生成するために結合可能な反応物質と活性剤を含む。あるインスタント自己発熱容器は、ターゲット容器と、穴開け可能な活性剤容器と、反応チャンバとを含む。活性剤容器に穴を開けることにより、活性剤を反応物質と結合させ、ターゲット容器を加熱する発熱反応を引き起こす。容器は、脱毛ワックスディスペンサーとして使用できる。別のインスタント自己発熱容器は、内容物パウチと、反応物質とを含み、活性剤チャンバを有する蓋で覆われた外側ハウジングを含む。活性剤チャンバを破裂させることにより、活性剤が発熱反応で反応物質と結合し、内容物パウチを加熱することができる。別のインスタント自己発熱容器は、加熱すべき内容物を含むアウターチューブと、可撓性反応容器と、脆性活性剤容器とを含む。アウターチューブを折り曲げることにより、活性剤容器が破裂し、発熱反応を引き起こす。
2013500216.tif 000002
【特許請求の範囲】
【請求項１】
第１シェルと、前記第１シェルに対して外側にあり且つ前記第１シェルと入れ子になった第２シェルとを備えるインスタント自己発熱容器であって、
前記第１シェルが、
加熱すべき内容物を入れたターゲット容器と、
活性剤容器であって、活性剤と、前記活性剤容器内に配置されたピアサーとを入れた、底部を有する活性剤容器と
を含み、
前記活性剤容器と前記ターゲット容器が各々、前記加熱すべき内容物と前記活性剤との混合を防ぐ容器壁を有し、
前記第２シェルが、前記ターゲット容器と入れ子になった反応チャンバと、前記活性剤チャンバと入れ子になり且つ前記反応チャンバと流体連通する活性剤受入チャンバとを含み、前記反応チャンバが、そこに配置された反応物質をさらに含み、
前記ピアサーを作動させると、前記活性剤チャンバに穴があけられ、それにより前記活性剤容器が前記活性剤受入チャンバと流体連通し、活性剤が前記活性剤容器から前記活性剤受入チャンバ内および前記反応チャンバ内に移動することが可能になり、前記活性剤が前記反応チャンバ内で前記反応物質と結合し、前記ターゲット容器内で前記内容物を加熱する発熱反応を引き起こす、インスタント自己発熱容器。
【請求項２】
前記ターゲット容器の内部で前記加熱すべき内容物を密封する内容物カバーをさらに備え、前記内容物カバーが、前記ターゲット容器にアクセスできるように開閉可能な部分を少なくとも有する、請求項１に記載のインスタント自己発熱容器。
【請求項３】
前記活性剤容器の内部で前記活性剤を密封する活性剤カバーをさらに備える、請求項２に記載のインスタント自己発熱容器。
【請求項４】
前記内容物カバーと前記活性剤カバーとが単一の容器カバーの一体部分である、請求項３に記載のインスタント自己発熱容器。
【請求項５】
前記第１シェルが、前記ターゲット容器と前記活性剤容器とを取り囲むフラットフランジをさらに備え、前記単一の容器カバーが、前記第１シェルの前記フラットフランジに接着されたピールバックカバーである、請求項４に記載のインスタント自己発熱容器。
【請求項６】
前記ターゲット容器が、前記ターゲット容器内へ上向きに延びる少なくとも１つの突起を有する底部を有する、請求項１に記載のインスタント自己発熱容器。
【請求項７】
前記少なくとも１つの突起が第１リングの形をしている、請求項６に記載のインスタント自己発熱容器。
【請求項８】
前記ターゲット容器の前記底部に、前記第１リングと同心の第２リングの形をしている第２突起をさらに備える、請求項７に記載のインスタント自己発熱容器。
【請求項９】
前記ピアサーが、尖った下端と、前記活性剤容器の上端に隣接する上端とを有する十字形部材である、請求項１に記載のインスタント自己発熱容器。
【請求項１０】
前記活性剤容器が、加熱されると有益な吸入蒸気を放出するエッセンシャルオイルを入れている、請求項１に記載のインスタント自己発熱容器。
【請求項１１】
インスタント自己発熱容器であって、
開放上端と閉鎖下端とを有する外側ハウジングと、
前記外側ハウジングの前記開放上端に取り付けられ、分配孔と活性剤チャンバとを含む蓋と、
前記蓋の前記活性剤チェンバの内部に配置されたピアサーと、
前記外側ハウジングの内部で前記ハウジングの前記閉鎖下端に配置された反応物質と、
下端と密封された上端とを有し、前記外側ハウジングの内部で前記反応物質の上に配置され、加熱すべき内容物を入れた内容物容器と、
前記内容物容器の前記下端と前記蓋の前記分配孔とを流体連通する導管と
を備える、インスタント自己発熱容器。
【請求項１２】
前記ピアサーを作動させると、前記蓋にある前記活性剤チャンバに穴が開けられ、それにより、前記内容物容器内で前記加熱すべき内容物を加熱する発熱反応を引き起こすように、前記活性剤が前記外側ハウジングの内部に流れ、前記外側ハウジングの前記閉鎖下端で前記反応物質と結合することが可能になる、請求項１１に記載のインスタント自己発熱容器。
【請求項１３】
前記蓋が通気孔をさらに備える、請求項１１に記載のインスタント自己発熱容器。
【請求項１４】
前記蓋が気密シールをさらに備え、前記気密シールが、前記加熱すべき内容物が前記気密シールを破壊する前に前記インスタント自己発熱容器から漏れ出ることを防止する、請求項１１に記載のインスタント自己発熱容器。
【請求項１５】
前記活性剤チャンバが膜を備える下端を有し、前記ピアサーを押して前記膜を貫通させることにより前記活性剤チャンバに穴が開けられる、請求項１１に記載のインスタント自己発熱容器。
【請求項１６】
前記活性剤チャンバが、少なくとも前記活性剤チャンバの前記上端に下向きの力が加えられたときに前記ピアサーに接触する下方移動可能な上端を有する、請求項１１に記載のインスタント自己発熱容器。
【請求項１７】
前記内容物容器がパウチである、請求項１１に記載のインスタント自己発熱容器。
【請求項１８】
前記パウチが、入れ子にできる外側ガセットと内側ガセットとを含む下端を有する、請求項１７に記載のインスタント自己発熱容器。
【請求項１９】
前記パウチの内側ガセットが少なくとも１つの浸透孔を含む、請求項１８に記載のインスタント自己発熱容器。
【請求項２０】
前記導管がストローである、請求項１１に記載のインスタント自己発熱容器。
【請求項２１】
前記導管が前記パウチと一体成形される、請求項１７に記載のインスタント自己発熱容器。
【請求項２２】
前記反応物質が前記内容物容器の前記下端に直接接触している、請求項１１に記載のインスタント自己発熱容器。
【請求項２３】
前記反応物質が、前記内容物容器の前記下端と直接接触するパウチの内部に配置される、請求項１１に記載のインスタント自己発熱容器。
【請求項２４】
前記加熱すべき内容物が、前記内容物容器から前記分配孔を通して計量された量で放出される、請求項１１に記載のインスタント自己発熱容器。
【請求項２５】
インスタント自己発熱脱毛ワックス容器であって、
開口を有する外側エンクロージャと、
実質的に前記外側エンクロージャに対して内側にある内側エンクロージャであって、前記開口の外周の周りで密封され、それにより前記内側エンクロージャと前記外側エンクロージャとの間に密閉反応キャビティを形成し、前記内側エンクロージャの内部に配置された受入キャビティをさらに備える内側エンクロージャと、
開放端と閉鎖端とを有し、前記閉鎖端が前記密閉反応キャビティと連通し且つ前記密閉反応キャビティへの破壊可能な通路を提供する活性剤溜めと、
前記受入キャビティ内に含まれる脱毛材料と、
前記密閉キャビティ内に配置された反応物質であって、前記活性剤溜めに入っている活性剤によって活性化され、前記密閉反応キャビティに前記破壊可能な通路を用いて活性剤が導入されると発熱反応を生成し、前記脱毛材料の調節された加熱をもたらす反応物質と
を備える、インスタント自己発熱脱毛ワックス容器。
【請求項２６】
前記受入キャビティを囲む除去可能なシールをさらに備える、請求項１に記載のインスタント自己発熱脱毛ワックス容器。
【請求項２７】
前記活性剤が電解質溶液である、請求項１に記載のインスタント自己発熱脱毛ワックス容器。
【請求項２８】
前記活性剤が水である、請求項１に記載のインスタント自己発熱脱毛ワックス容器。
【請求項２９】
前記活性剤溜めが前記内側エンクロージャに対して内側にある、請求項１に記載のインスタント自己発熱脱毛ワックス容器。
【請求項３０】
前記活性剤溜めが前記内側エンクロージャに対して外側にある、請求項１に記載のインスタント自己発熱脱毛ワックス容器。
【請求項３１】
前記外側エンクロージャに接続されたオープントレイをさらに備える、請求項１に記載のインスタント自己発熱脱毛ワックス容器。
【請求項３２】
前記破壊可能な通路が、前記閉鎖端に力をかけることにより破壊される、請求項１に記載のインスタント自己発熱脱毛ワックス容器。
【請求項３３】
前記反応キャビティと前記内側溜めの少なくとも一方に芳香族化合物をさらに備える、請求項１に記載のインスタント自己発熱脱毛ワックス容器。
【請求項３４】
前記脱毛剤化合物がワックスをベースとする、請求項１に記載のインスタント自己発熱脱毛ワックス容器。
【請求項３５】
前記脱毛剤化合物が樹脂をベースとする、請求項１に記載のインスタント自己発熱脱毛ワックス容器。
【請求項３６】
前記内側エンクロージャがドーナツ形である、請求項１に記載のインスタント自己発熱脱毛ワックス容器。
【請求項３７】
前記外側エンクロージャが使い捨て可能である、請求項１に記載のインスタント自己発熱脱毛ワックス容器。
【請求項３８】
インスタント自己発熱ディスペンサーであって、
分配ノズルを有する第１端と、第２開放端とを有し、加熱すべき内容物を含む可撓性アウターチューブと、
前記アウターチューブの内部に配置され、前記加熱すべき内容物と接触し、反応物質を含む可撓性反応容器と、
前記反応容器の内部に配置され、活性剤を含む脆性活性剤容器と、
前記アウターチューブの前記第２開放端に取り付けられ、前記反応容器と前記アウターチューブの前記第２開放端を覆い、通気孔を含むキャップと
を備え、
前記アウターチューブを折り曲げることにより、前記脆性活性剤容器が破裂して前記反応容器内に活性剤を放出し、前記反応容器で前記活性剤が前記反応物質と結合して発熱反応を引き起こし、前記発熱反応が前記アウターチューブ内の前記加熱すべき内容物を加熱する、インスタント自己発熱ディスペンサー。
【請求項３９】
前記加熱すべき内容物が脱毛ワックスである、請求項３８に記載のインスタント自己発熱ディスペンサー。
【請求項４０】
前記分配ノズルに取り付けられる塗布具をさらに備える、請求項３８に記載のインスタント自己発熱ディスペンサー。
【請求項４１】
前記塗布具がローラーを含む、請求項４０に記載のインスタント自己発熱ディスペンサー。
【請求項４２】
前記塗布具が少なくとも２つの並列パドルを含む、請求項４０に記載のインスタント自己発熱ディスペンサー。
【請求項４３】
前記塗布具がスキージを含む、請求項４０に記載のインスタント自己発熱ディスペンサー。
【請求項４４】
前記反応容器を密封するために前記キャップの前記通気孔の上に接着された膜をさらに備える、請求項３８に記載のインスタント自己発熱ディスペンサー。
【請求項４５】
前記膜が、水性接着剤で前記キャップの前記通気孔の上に接着され、前記水性接着剤が前記反応容器内で前記活性剤と前記反応物質を結合することによって引き起こされる前記発熱反応によって生成される蒸気で溶解する、請求項４４に記載のインスタント自己発熱ディスペンサー。
【請求項４６】
前記反応物質が前記反応容器の内部にある細長い水透過性パウチ内に配置される、請求項３８に記載のインスタント自己発熱ディスペンサー。
【発明の詳細な説明】
【技術分野】
【０００１】
本明細書に開示する実施形態は、概ね自己発熱容器に、詳細には加熱処理製品を販売するためのインスタント自己発熱容器に関連する。
【０００２】
（関連出願の相互参照）
本出願は、「インスタント自己発熱飲食物容器」という発明の名称で２００９年７月２６日に出願した米国仮特許出願第６１／２２８，５８６号と、「使い捨て脱毛ワックスディスペンサー」という発明の名称で２００９年７月２６日に出願した米国仮特許出願第６１／２２８，５９２号とに対する優先権を主張する。これらの米国仮特許出願両方の内容は、参照によりその全体が本明細書に、あたかも一字一句記載されているように援用される。
【背景技術】
【０００３】
ほとんどの飲料、インスタント食品、および加熱を必要とする他の製品に関連する１つの問題は、それらが容器から出したままでは熱くないことである。それどころか、それらは外部手段で加熱しなければならない。インスタントの紅茶またはスープは、容器にお湯または熱湯を加えることにより加熱することができるが、これはユーザーがお湯の供給を利用できることを前提としている。多くの場合、これは全く当てはまらない。例えば、ユーザーは、屋外にいるか、或いは電子レンジ、ストーブ、電気、または加熱用燃料を利用できないことがある。また、緊急時には、暖められた飲み物、食べ物、または他の製品を直ぐに利用できることが、生存に不可欠な場合がある。
【０００４】
関連する問題が、様々な体の部分、例えば、眉、上唇、腋の下、ビキニライン、足、腕、体の他の領域などから不要な毛および毛包を除去するために加熱したワックスおよび樹脂を広く使用する、温泉および美容業界に見られる。この開示の目的では、「ワックス」または「樹脂」という用語はあらゆる加熱した脱毛剤を含むと理解される。典型的なワックス脱毛セッションでは、ワックスまたは類似物質の大部分が、缶、おけ、ポットなどの容器内で電気的手段によって加熱される。特に特殊な加熱装置を利用することができないホームユーザの場合、ワックスを危険なほど過熱せずに加熱して適温に維持することは困難である。
【０００５】
加熱されるとすぐに、ワックスは、舌圧子または塗布具などのスプレッダーツールによって、毛および下にある皮膚に塗布される。加熱したワックスは、エステティシャンやホームユーザにより塗布具によってすくい上げられ、十分な量が処理領域に塗られ、冷えて凝結することができる。処理領域を覆うために、加熱したワックスの容器に何度も入れてすくうことが必要である。冷却後、ユーザーは、硬化したワックスの層をつかんで凝結したワックスを迅速に皮膚から引きはがし、それに伴って皮膚から毛を除去する。ソフトワックスの用途では、ワックスにそれを処理領域から引き離す際の寸法安定性を与えるためのキャリアとして、ワックスの上に貼り付けられるガーゼまたは類似のストリップを追加することを除き、使用法は全く同じである。
【０００６】
脱毛ワックスをベースとするすべての用途において、「二度漬け」または塗布具と皮膚とバルクワックスとの間での多数の接触が起こる可能性があるので、衛生面が懸念される。具体的には、塗布具を皮膚、死んだ皮膚細胞、毛やごみに接触して使用すると、潜在的病原体が塗布具上のワックスに付着する。施術師がバルクワックスから追加のワックスをすくい上げて塗布具を再装填するとき、バルクワックスは、塗布具上の皮膚、死んだ皮膚細胞、毛やごみとの接触による汚染にさらされる可能性がある。実際に、より多くの皮膚関連の病気の発生が「より後の」顧客から報告されているので、複数の人からの二重汚染の懸念が高まっている。例えば、膿痂疹、単純ヘルペス、白癬、疥癬、疣贅などの皮膚疾患と、真菌、ウイルスおよびバクテリアによって生じる苦痛を含む他の多くの疾患が、バルクワックス容器を介して、より後の顧客に感染させられる。
【０００７】
他の面倒な問題は、バルクワックスは加熱にかなりの時間がかかり、したがって、汚染されたワックスの処理および廃棄は時間とエネルギーの両方で相当な損失となり得ることである。また、大量のワックスを扱うことは、特に上記処理および廃棄に関することを考えると、難しい問題となる可能性がある。
【０００８】
上記の様々な問題を解決するために多くの解決策が提案されてきた。例えば、外側容器が（加熱すべき飲料、スープ、または他の内容物を保持するための）内側内容物チャンバと、生石灰チャンバと、水チャンバとを含む、インスタントホット飲料およびスープが提供されてきた。ユーザーが水チャンバを生石灰チャンバと連通させると、水と生石灰の組合せにより高速の発熱反応が引き起こされる（例えば、スカダーらの米国特許７，１１７，６８４号参照）。これらのインスタントホット容器はユーザーに加熱された内容物を提供する一方で、欠点がある。第一に、生石灰と水の反応は素早く完了するので、内容物は最初のうちは熱いが、ほんの数分間の場合がある発熱反応が完了するとすぐに冷え始める。第二に、生石灰の発熱反応は非常に高温で、内容物が危険なほど熱くなることがあるため、非常に高い温度に耐えることができる容器を必要とする。最後に、生石灰と水の組合せは高温スラリーを作り出し、高温スラリーは、ガスを漏れ出させるがスラリーを容器の反応領域内に保持する複雑なワンウェイバルブを設けない限り、容器から容易に漏出してやけどを起こす。
【０００９】
既知のインスタント自己発熱容器に関する他の重要な問題は、加熱されたスラリーが内容物チャンバの下部にのみ接触しがちなので、内容物チャンバの下部にある内容物が最初のうちはチャンバの上部にある内容物よりはるかに熱いことである。内容物を外側容器の上部から出す場合、これは、最初に容器から出る内容物が最も冷たく、一方、最も熱い内容物がチャンバの下部に残ることを意味する。
【発明の概要】
【発明が解決しようとする課題】
【００１０】
したがって、飲食物を比較的長時間、比較的一定の高温に維持することができるように長持ちする熱源を有するインスタント自己発熱飲食物容器を提供することが有利である。また、最も熱い内容物を最初に分配し、一方冷たい内容物を加熱し続けるインスタント自己発熱容器が必要である。内容物全体をより迅速且つ一様に加熱するインスタント自己発熱容器の必要性もある。同様に、汚染されやすい大型容器を必要とせずにユーザーがホットワックスを素早く利用できるように、使い捨て容器内の脱毛ワックスを急速且つ均一に加熱する方法が必要である。最後に、比較的安価で使い捨て可能な材料から作ることができるインスタント自己発熱容器を提供することも有利である。
【課題を解決するための手段】
【００１１】
以下に開示するインスタント自己発熱容器はこれらのニーズを満たす。特許請求された主題のいくつかの側面に関する基本的な理解を与えるために、以下に簡単な概要を説明する。この概要は詳細な概要ではなく、主要または重要な要素を特定することや特許請求された主題の範囲を説明することを目的とするものではない。その目的は、後に示すより詳細な説明への前置きとして、いくつかの概念を簡単な形で示すことである。
【００１２】
一実施形態において、インスタント自己発熱容器が、加熱すべき内容物を入れたターゲット容器と、活性剤を入れた活性剤容器とを有する第１シェルを含む。活性剤容器は底部を有し、活性剤容器およびターゲット容器は各々、加熱すべき内容物と活性剤との混合を防ぐ容器壁を有する。第２シェルは、第１シェルに対して外側にあり、第１シェルと入れ子になっている。第２シェルは、ターゲット容器と入れ子になった反応チャンバと、活性剤チャンバと入れ子になり且つ反応チャンバと流体連通する活性剤受入チャンバとを含む。反応チャンバに反応物質が配置され、第１シェルの活性剤容器にピアサーが配置される。ピアサーを、例えば、ユーザーがそれを押し下げることによって作動させると、活性剤容器の底部に穴が開けられ、それにより活性剤容器が活性剤受入チャンバと流体連通し、活性剤が活性剤容器から活性剤受入チャンバ内および反応チャンバ内へ移動することが可能になり、反応チャンバにおいて活性剤が反応物質と結合し、それにより反応チャンバ内で発熱反応を引き起こし、発熱反応がターゲット容器内で加熱すべき内容物を加熱する。
【００１３】
インスタント自己発熱容器は、ターゲット容器内で加熱すべき内容物を密封する内容物カバーを含んでもよく、内容物カバーはターゲット容器にアクセスできるように開閉可能な部分を少なくとも有する。インスタント自己発熱容器は、活性剤容器内で活性剤を密封する活性剤カバーを有してもよい。また、内容物カバーおよび活性剤カバーは、単一の容器カバーの一体部分であってもよい。その場合、第１シェルはターゲット容器と活性剤容器とを取り囲むフラットフランジをさらに含み、単一の容器カバーが第１シェルのフラットフランジに接着されたピールバックカバーであってもよい。
【００１４】
ターゲット容器は、ターゲット容器内へ上向きに延びる少なくとも１つの突起を有する底部を有してもよい。このような突起は、単一のリング、または２つ以上の同心円状リングの形をしていてもよい。インスタント自己発熱容器はまた、ターゲット容器の底部に、第１リングと同心の第２リングの形をしている第２突起を含んでもよい。
【００１５】
別の実施形態では、インスタント自己発熱容器が、開放上端と閉鎖下端とを有する外側ハウジングを有する。外側ハウジングの開放上端に蓋が取り付けられ、分配孔と活性剤チャンバとを含む。活性剤チャンバの内部にピアサーが配置される。外側ハウジングの内部でハウジングの閉鎖下端に反応物質が配置される。下端と密封した上端とを有する内容物容器が、外側ハウジングの内部で反応物質の上に配置される。内容物容器には、加熱すべき内容物が入っている。内容物容器の下端と蓋の分配孔との間を導管が流体連通する。ピアサーを作動させると、蓋にある活性剤チャンバに穴が開けられ、それにより活性剤が外側ハウジングの内部に流れ、外側ハウジングの閉鎖下端にある反応物質と結合することができ、内容物容器内で加熱すべき内容物を加熱する発熱反応を引き起こす。
【００１６】
蓋は、外側ハウジングから反応ガスを放出するための通気孔を含んでもよい。蓋は、加熱すべき内容物が気密シールを破壊する前にインスタント自己発熱容器から漏れ出ることを防止する、気密シールを含んでもよい。蓋の活性剤チャンバは、ピアサーを押して薄膜を貫通させることにより活性剤チャンバに穴が開けられるように、薄膜を有する下端を有してもよい。活性剤チャンバはまた、少なくとも活性剤チャンバの上端に下向きの力が加えられたときにピアサーに接触する下方移動可能な上端を有してもよい。
【００１７】
外側ハウジングの内部にある内容物容器はパウチであってもよく、パウチは入れ子にできる外側ガセットと内側ガセットとを含む下端を有する。パウチの内側ガセットは、少なくとも１つの浸透孔を含む。内容物容器の下端を蓋の分配孔に接続する導管は、ストローであってもよく、或いは、特に内容物容器がパウチである場合には、内容物容器の一部として一体形成されてもよい。外側ハウジングの内部の下端にある反応物質は、内容物容器の下端と直接接触してもよい。或いは、反応物質は、内容物容器の下端と直接接触するパウチの内部に配置されてもよい。加熱すべき内容物は、内容物容器から分配孔を通して計量された量で放出され得る。
【００１８】
別の実施形態では、インスタント自己発熱容器は、特に脱毛ワックスディスペンサーとして使用するのに適している。この実施形態では、インスタント自己発熱脱毛剤容器が、開口を有する外側エンクロージャと、実質的に外側エンクロージャに対して内側にある内側エンクロージャとを含み、内側エンクロージャは開口の外周の周りで密封され、それにより内側エンクロージャと外側エンクロージャとの間に密閉反応キャビティを形成する。内側エンクロージャはまた、内側エンクロージャの内部に配置された受入キャビティを含む。インスタント自己発熱脱毛剤容器はまた、開放端と閉鎖端とを有する活性剤溜めを含み、閉鎖端は密閉反応キャビティと連通し、密閉反応キャビティへの破壊可能な通路を提供する。受入キャビティ内に脱毛材料が含まれ、密閉反応キャビティ内に反応物質が配置され、反応物質は、破壊可能な通路を通して密閉反応キャビティに活性剤が導入されたときに発熱反応を生成するように活性剤溜めに入っている活性剤によって活性化され、脱毛材料の調節された加熱をもたらす。
【００１９】
インスタント自己発熱脱毛剤容器は、受入キャビティを密閉する除去可能なシールを含んでもよい。活性剤は、電解質溶液、水または他の液体であってもよい。活性剤溜めは、内側エンクロージャに対して内側にあっても外側にあってもよい。外側エンクロージャにオープントレイが接続されてもよい。破壊可能な通路は、閉鎖端に力をかけることにより破壊され得る。芳香族化合物が反応キャビティと内側ウェルの少なくとも一方に配置されてもよい。脱毛剤化合物は、ワックスベースまたは樹脂ベースであってもよいが、これに制限されない。内側エンクロージャはドーナツ形であってもよく、外側エンクロージャは使い捨て可能であってもよい。
【００２０】
別の実施形態では、インスタント自己発熱容器は、加熱した内容物のディスペンサーとして使用するのに特に適している。この実施形態では、インスタント自己発熱ディスペンサーは、分配ノズルを有する第１端と、第２開放端とを有する可撓性アウターチューブを含む。アウターチューブには加熱すべき内容物が入っている。可撓性反応容器が、アウターチューブの内部に配置され、加熱すべき内容物と接触する。反応容器には反応物質が入っている。脆性活性剤容器が反応容器の内部に配置され、活性剤が入っている。キャップがアウターチューブの第２開放端に取り付けられ、反応容器とアウターチューブの第２開放端を覆い、且つ通気孔を含む。アウターチューブを折り曲げることにより、脆性活性剤容器が破裂して反応容器内に活性剤を放出し、反応容器内で活性剤が反応物質と結合して発熱反応を引き起こし、発熱反応がアウターチューブ内の加熱すべき内容物を加熱する。
【００２１】
可撓性アウターチューブ内の加熱すべき内容物は脱毛ワックスであってもよく、アウターチューブの分配ノズルに取り付けられる塗布具があってもよい。塗布具は、ローラーと、少なくとも２つの並列パドルと、スキージ（可撓性ゴム製ブレード）とを含んでもよい。反応容器を密封するためにキャップの通気孔の上に薄膜が接着されてもよく、薄膜は、反応容器内で活性剤と反応物質とを結合することによって引き起こされる発熱反応によって生成される蒸気で溶解する、水性接着剤でキャップの通気孔に接着されてもよい。反応物質は、反応容器の内部にある細長い水透過性パウチ内に配置されてもよい。
【００２２】
上記および関連する目的の達成のために、いくつかの説明に役立つ態様を、以下の記載および添付の図面に関連して本明細書で説明する。しかしながら、これらの態様は、特許請求された主題の原理が利用され得る様々な方法のほんの数例を示すものであり、特許請求された主題は、このような態様すべてとそれらの同等物とを含むよう意図されている。その他の利点と新規の特徴は、図面と併せて考えた場合に以下の詳細な説明から明らかになるであろう。
【図面の簡単な説明】
【００２３】
【図１】インスタント自己発熱容器の斜視図である。
【図２】図１のインスタント自己発熱容器の正面断面図である。
【図３】図１のインスタント自己発熱容器の別の斜視図である。
【図４】インスタント自己発熱容器のピアサーの代替的な実施形態を示す。
【図５】インスタントの自己発熱容器の別の実施形態の斜視図である。
【図６Ａ】図５のインスタント自己発熱容器の断面図である。
【図６Ｂ】図５のインスタント自己発熱容器で使用されるピアサーの上面図である。
【図６Ｃ】図６Ｂのピアサーの斜視図である。
【図７】完全な組み立て前に示す、図５のインスタント自己発熱容器の内容物容器パウチの斜視図である。
【図８】図５のインスタント自己発熱容器の内容物容器パウチの中央の断面形状図である。
【図９】インスタント自己発熱脱毛剤容器の一実施形態の斜視図である。
【図１０】図９のインスタント自己発熱脱毛剤容器の上面図である。
【図１１】図９のインスタント自己発熱脱毛剤容器の断面側面図である。
【図１２】下向きの力がかけられた、図９のインスタント自己発熱脱毛剤容器の断面側面図である。
【図１３】下向きの力を除いた後の、図９のインスタント自己発熱脱毛剤容器の断面側面図である。
【図１４】シーリング膜を取り除いた、図９のインスタント自己発熱脱毛剤容器の断面側面図である。
【図１５Ａ】使用中の図９のインスタント自己発熱脱毛剤容器の断面側面図である。
【図１５Ｂ】使用中の図９のインスタント自己発熱脱毛剤容器の断面側面図である。
【図１６】インスタント自己発熱脱毛剤容器の別の実施形態の斜視図である。
【図１７】シーリング膜を取り除いた図１６のインスタント自己発熱脱毛剤容器の斜視図である。
【図１８】図１６のインスタント自己発熱脱毛剤容器の断面側面図である。
【図１９】インスタント自己発熱脱毛剤容器の別の実施形態の斜視図である。
【図２０】インスタント自己発熱ディスペンサーの実施形態の正面図である。
【図２０Ａ】図２０のインスタント自己発熱ディスペンサーと共に使用する、並列パドルを有する代替的な塗布具の斜視図である。
【図２０Ｂ】図２０のインスタント自己発熱ディスペンサーと共に使用する、スキージを有する代替的な塗布具の斜視図である。
【図２１】図２０のインスタント自己発熱ディスペンサーのアウターチューブと、反応容器と、活性剤容器の分解陰線図である。
【図２２】図２０のインスタント自己発熱ディスペンサーの分解図である。
【図２３】折り曲げて活性化した、図２０のインスタント自己発熱ディスペンサーの斜視図である。
【発明を実施するための形態】
【００２４】
以下に開示された実施形態は、比較的長時間高温のままである比較的安価なインスタント自己発熱容器のニーズに対応する。一実施形態において、インスタント自己発熱容器が、加熱すべき内容物を入れたターゲット容器と、活性剤を入れた活性剤容器とを有する第１シェルを含む。活性剤容器は底部を有し、活性剤容器およびターゲット容器は各々、加熱すべき内容物と活性剤との混合を防ぐ容器壁を有する。第２シェルは、第１シェルに対して外側にあり、第１シェルと入れ子になっている。第２シェルは、ターゲット容器と入れ子になった反応チャンバと、活性剤チャンバと入れ子になり且つ反応チャンバと流体連通する活性剤受入チャンバとを含む。反応チャンバに反応物質が配置され、第１シェルの活性剤容器にピアサーが取り付けられる。ピアサーがユーザーによって押し下げられると、活性剤チャンバの底部に穴が開けられ、それにより活性剤チャンバが活性剤受入チャンバと流体連通し、活性剤が活性剤チャンバから活性剤受入チャンバ内および反応チャンバ内へ移動することが可能になり、反応物質と結合し、それにより反応チャンバ内で発熱反応を引き起こし、発熱反応がターゲット容器内で加熱すべき内容物を加熱する。
【００２５】
図１は、インスタント自己発熱容器の一実施形態を示す。自己発熱容器１は、第１シェル２と、第２シェル４とを含む。第１シェル２と第２シェル４は、互いに入れ子になっており、互いに結合されていても結合されていなくてもよい。第１シェル２はターゲット容器１０を含み、ターゲット容器１０はターゲット容器壁１２を有する。第１シェル２は活性剤容器２０をさらに含み、活性剤容器２０は活性剤容器壁２２を有する。ターゲット容器１０には加熱すべき内容物が入っており、加熱すべき内容物は飲料、食品、または加熱されることが望ましい何か他のものでもよい。活性剤容器には活性剤２４（図２参照）が入っている。容器壁１２および２２は、加熱すべき内容物と活性剤２４との混合を防ぐ。
【００２６】
図２に見られるように、ターゲット容器１０は１つまたは複数の突起１４を有する底部を有し、突起１４はこの実施形態では同心円状の複数のリングの形をしている。図３は突起１４を上から示し、ターゲット容器１０を見下ろしている。さらに、活性剤容器２０はピアサー２６を含んでもよく、ピアサー２６はこの実施形態では硬質プラスチック製スピアである。ただし、ユーザーが活性剤容器に穴を開ける（下記により完全に説明するプロセス）ために、ナイフ、ペンまたは他の外部機器を使用してもよいので、ピアサー２６は自己発熱容器１に含まれなくてもよい。ピアサー２６が第２シェル４に穴を開けるのを防ぐために、第２シェル４は活性剤容器２４の底部よりも厚く且つ／または強い材料から作られてもよい。また、活性剤容器２４の底部から第２シェル４までの距離は、ピアサー２６がユーザーによって押された後に第２シェル４と接触しないほど十分に大きくてもよい。
【００２７】
別の実施形態（図示せず）において、ピアサーは、活性剤容器を活性剤受入チャンバと流体連通させるための他の手段に置き換えてもよい。例えば、外部の「引き紐」が内部の「プルタブ」に、紐を引くとタブの係合が外れて活性剤容器に穴を開け、流体が活性剤容器を出て活性剤受入チャンバ内に入ることができるように、接続されてもよい。
【００２８】
図４に示す別の実施形態において、ピアサー２６は、活性剤容器２０の直径にまたがる十字形の先の尖った部材である。ピアサー２６の上端は、ユーザーが活性剤容器２０を密封するいかなるカバーをも取り除くことなく容易に押し込むことができるように、活性剤容器２０の上端に隣接する。ピアサー２６の十字形状は、ピアサー２６自体によりそれが作る穴が塞がれることなく、活性剤容器２０のすべての内容物を素早く出せるように、活性剤容器２０の底部に大きな穴を作るのに役立つ。
【００２９】
第２シェル４は反応物質３２を入れた反応チャンバ３０を含む。第２シェル４はまた、活性剤受入チャンバ４０を含む。図に示すように、反応チャンバ３０および活性剤受入チャンバ４０は、余水路４２を介して互いに流体連通している。したがって、ユーザーがピアサー２６を押し込むことにより（または外部手段を用いることにより）活性剤容器２０の底部に穴を開けると、活性剤２４が活性剤受入チャンバ４０内に移動し、余水路４２を下り、反応チャンバ３０内に移動し、反応チャンバ３０で反応物質３２と接触して発熱反応を引き起こすことが分かる。
【００３０】
反応物質３２と活性剤２４は、混合したときに発熱反応を起こすいかなる化学物質であってもよい。ターゲット容器１０を加熱するのに使用することができる発熱反応の例は、水と強酸との組合せ、アルカリと酸の結合、重合、テルミット反応、アルミニウムをベースとする反応、マグネシウム鉄をベースとする反応、無水物をベースとする反応などを含む。１つの特に好適な非毒性の発熱性組成物は、（活性剤として）水または塩水などの電解質溶液を加えるだけで、長時間、非常に制御された温度を示すことが知られているＬａｖａＧｅｌ（米国カリフォルニア州エスコンディードにあるフォーエバー・ヤング・インターナショナル社製）である。ただし、デザイン志向に応じて、２つ以上の活性剤化合物または活性剤元素による活性化または緩和を必要とする反応物質を含む、他の反応物質を使用してもよい。
【００３１】
したがって、この実施形態では、ユーザーが活性剤チャンバ２０に穴を開けると、活性剤２４は、活性剤チャンバ２０から出て、余水路４２を下って、反応チャンバ３０内に流れる。反応物質３２および活性剤３０が同時に発熱反応を起こし始めると、粉末混合物は熱産生ゲルに変化する。したがって、反応チャンバ３０は発熱ゲルでいっぱいになる。
【００３２】
ＬａｖａＧｅｌなどの発熱ゲルの使用は重要な利点をもたらす。活性剤２４が水の場合、ゲルは水を、それが反応チャンバ３０から漏出できないように隔離する。したがって、反応チャンバ３０から液体を漏れ出させずにガスを漏れ出させる複雑なバルブの必要性がなくなる。蒸気などのガスは漏れ出ることができても、発熱ゲルは非常に粘性があるのでピアサー２６によって活性剤チャンバ２０に作られた開口から漏出することができない。
【００３３】
発熱ゲルは（乾燥粉末混合物の体積に対して）膨張し、第１シェル２と第２シェル４との間でターゲット容器１０の側面を上ってにじみ出る。ゲルはまた、突起１４の下にあるキャビティ内に進出する。したがって、発熱ゲルは非常に広い表面積にわたってターゲット容器１０の外側面に接触する。これにより、発熱ゲルは迅速且つ均等にターゲット容器１０を加熱することができる。代替的な実施形態において、突起１４は、ロゴなどのエンボス文字、或いは、ターゲット容器１０内に垂直方向上向きに、任意でターゲット容器１０が環状であるようにターゲット容器１０の最上部まで延びる、円柱状または円錐状突起であってもよい。
【００３４】
図１に戻ると、第１シェル２はまた周辺フランジ６を含む。周辺フランジ６は、接着箔カバーが第１シェル２に接着され、それによってターゲット容器１０の内部に加熱すべき内容物を密封し且つ活性剤容器２０の内部に活性剤２４を密封するための平らな面を提供する。第１シェル２はまた、加熱すべき内容物が飲料やスープである場合にターゲット容器１０から飲むのを支援するために注ぎ口８を含んでもよい。加熱すべき内容物を消費するかまたは注ぐときにターゲット容器１０のごく一部だけカバーを取られるように、接着箔カバーは、注ぎ口８の上に小さなピールバック（はぎ取り）部を有してもよい。
【００３５】
ターゲット容器１０の内部にある内容物は、食品および非食品を含む何であってもよい。一実施形態において、加熱すべき内容物は液体のハーブティーである。スパでの使用に特に適しているこの実施形態では、活性剤容器２０にアロマセラピーオイルが入っていてもよい。これらのオイルは、活性剤２４と共に反応チャンバ３０に流れ込み、その結果、活性剤２４と反応物質３２との間の発熱反応によって加熱される。このオイルの加熱により、オイルは、茶を飲む人をリラックスさせるのに役立つ有益なアロマセラピー蒸気を放出する。代わりに、または加えて、発熱反応中にアロマセラピーガスを放出するように、反応チャンバ３０内にアロマセラピー粒子または香料粒子が含まれてもよい。
【００３６】
入れ子になった第１および第２シェル２および４は、比較的シンプルな構造を有する自己発熱容器１を提供する。シェル２および４のいずれかまたは両方を、ポリエチレンやポリプロピレンなどの成形プラスチックかまたは他のポリマーから作ることができる。これは、自己発熱容器１が使い捨て可能であってもよいように、自己発熱容器１を非常に安く製造できることを意味する。また、シェル２、４の１つ以上を耐水ペーパー、プラスチック、金属などから製造してもよい。一部の実施形態において、シェル２、４の１つ以上が生分解可能であってもよい。また、特にＬａｖａＧｅｌが使用される反応物質である場合、反応化学物質は危険なほど高温に達しないため、自己発熱容器１が溶ける恐れは全くない。また、ＬａｖａＧｅｌが使用される反応物質である場合、発熱反応の熱は、１５分から１時間以上の比較的長時間続く。したがって、既存の自己発熱装置と比べてターゲット容器１０の内容物が長時間暖かい状態であるだけでなく、加熱すべき内容物を使い切りまたは廃棄した後、自己発熱容器自体１をハンドウォーマーとして使用することができる。
【００３７】
自己発熱容器１は様々な形状およびサイズを有し得ることを理解されたい。例えば、容器は必ずしも円形ではなく、長方形または多角形であってもよい。大きさは、ほんの１〜２インチの長さおよび／または高さから数フィートの長さおよび／または高さまで大きく異なり、その間のいかなるサイズでもよい。特に、図２に示す大きさは、自己発熱容器１の考えられる大きさのほんの一例にすぎず、決して制限するものとみなされるべきでないことに注意されたい。
【００３８】
インスタント自己発熱容器の別の実施形態を図５および６に示す。インスタント自己発熱容器５０は、開放上端と閉鎖下端とを有する外側ハウジング５２を含む。蓋５４が外側ハウジング５２の開放上端に取り付けられ、熱溶接または超音波溶接、接着剤、または他の適切な手段でハウジング５２に取り外せないように接着され得る。蓋５４は分配孔５６（蓋５４の上面の飲みやすい窪みによって囲まれ得る）と通気孔５７とを含み、その両方が外側ハウジング５２の内部容積と流体連通する。蓋５４はまた、堀（モート）５９によって囲まれた活性剤チャンバ５８を含む。
【００３９】
分配孔５６と通気孔５７と活性剤チャンバ５８の中心を通る垂直面に沿ったインスタント自己発熱容器５０の断面図である図６Ａに最も良く示すように、活性剤チャンバ５８には活性剤６２とピアサー６４とが入っている。活性剤６２は薄膜６５によって活性剤チャンバ５８内に保持され、薄膜６５は、活性剤チャンバ５８の底部を横切って延びてそれにより活性剤チャンバ５８の密封された下端を形成するように、堀５９の底面に接着された薄箔であってもよい。活性剤チャンバ５８はまたピアサー６４を入れており、ピアサー６４は、ピアサー６４を薄膜６５に対して付勢するように下向きの圧力が外部から活性剤チャンバ５８の上面にかけられたときに薄膜６５に穴を開けることができる比較的尖った物体である。ピアサー６４は活性剤チャンバ５８内で自由に浮遊してもよいし、或いは活性剤チャンバ５８と一体的に形成されてもよい。ピアサー６４を、図６Ｂおよび６Ｃにより詳細に示す。図に示すように、ピアサー６４は十字形状を有し、その下端が尖り、その上端が平らになっている。ピアサー６４のこの形状は、薄膜６５に形成された裂け目をセルフシールせずに薄膜６５をきれいに破裂させるので特に有利である。これにより、確実にすべての活性剤６２が活性剤チャンバ５８から放出される。
【００４０】
引き続き図６を参照すると、気密シール６０が蓋５４の上端全体を覆う。分配孔５６および通気孔５７が外側ハウジング５２の内部と大気との間の流体連通の唯一の経路なので、気密シール６０は、ユーザーによる自己発熱容器５０の活性化より前に外側ハウジング５２の内容物が漏れ出るのを防止する。気密シール６０は、蓋５４の上面に接着された薄箔であってもよく、ユーザーが気密シール５４を取り除くのを支援するためにプルタブを含んでもよい。
【００４１】
また、図６に示すように、外側ハウジング５２には反応物質６６が入っており、反応物質６６は、図示の実施形態において、透過性パウチ内に入れて示されている。しかしながら、反応物質６６は、外側ハウジング５２内で自由に浮遊していてもよい。外側ハウジング５２にはまた内容物容器７０が入っており、内容物容器７０は以下で内容物７４と称する加熱すべき物質を入れている。内容物７４は、飲料、スープ、または、加熱を必要とする食品以外の液体を含む他の液体であってもよい。図示の実施形態において、内容物容器７０は、まち付きの底部を有するパウチであり、周辺シール７７によってその周囲が密封されている。
【００４２】
内容物容器７０の一実施形態の構造を、図７および８により詳細に示す。この実施形態において、内容物容器７０はパウチである。図７は、パウチを形成するために外側パネル８０を周辺シール７７に沿って結合する前の内容物容器７０を示す。図８は、外側パネル８０が周辺シール７７に沿って張り合わされた後の内容物容器７０の中央の形状断面図を示す。図７および８に見られるように、内容物容器７０の底部は、入れ子にできる２つのまち部、外側まち部８２と内側まち部８４とを備える。本明細書で使用されるように、「入れ子にできる」という用語は、内容物容器７０を空にしたとき、内側まち部８４が外側まち部８２に折り重なって外側まち部８２と入れ子になるという意味である。内容物容器７０の内部に内側まち部８４が存在することにより、内容物容器７０は下側チャンバ８３と上側チャンバ８５に分割される。内側まち部８４はまた、後述する目的のために、上側チャンバ８５と下側チャンバ８３との間の流体連通を可能にする１つまたは複数の浸透孔８６を含む。浸透孔８６の数およびサイズは重要ではないが、一実施形態においては、各々直径が約０．４５ｃｍである３つの浸透孔８６がある。しかしながら、より多くの浸透孔８６を設ける場合、各々の直径はより小さくなるであろう。逆に、より少ない浸透孔８６を設ける場合、各々の直径はより大きくなるであろう。
【００４３】
内容物容器７０はまた、本質的に周辺シール７７の拡幅部である導管シール７６内に配置された導管７２を含む。導管７２は、導管シール７６内に埋め込まれて密封された別個の管またはストローであってもよく、或いは、導管７２は、特に内容物容器７０がパウチである場合、内容物容器７０の一部として一体成形された通路であってもよい。導管７２の下端が導管シール７６の底部より下に延びるので、導管７２の下端は密封されず、内容物容器７０の下側チャンバ８３内にある内容物７４に接している。導管７２の上端は、導管シール７６の上端より上に延び、分配孔５６に接合される。導管７２の上端と分配孔５６との接合は、液体および気体に対して不透過性である。したがって、導管７２は、内容物容器７０の内部と（分配孔５６を介した）大気と間の流体連通の唯一の経路である。
【００４４】
活性剤６２と反応物質６６は、混合すると発熱反応を起こす物質である。一実施形態において、活性剤６２は真水や電解質溶液であり、反応物質６６はＬａｖａＧｅｌ（米国カリフォルニア州エスコンディードにあるフォーエバー・ヤング・インターナショナル社製）である。最初に開示したインスタント自己発熱容器の実施形態、インスタント自己発熱容器１０に関して先に述べたように、デザイン志向に応じて、他の既知の発熱反応も利用し得る。
【００４５】
活性剤６２と反応物質６６を混合するために、ユーザーは蓋５４から気密シール６０を取り除き、次いで活性剤チャンバ５８の上面に下向きの圧力をかける。活性剤チャンバ５８の上面は、それがニュートラルの位置からより低い位置に移動できるように可撓性材料を含む。言い換えれば、ユーザーが活性剤チャンバ５８の上面に下向きの力をかけると、上面の「オイル缶」が下降する。この活性剤チャンバ５８の上面の下向きの移動が、それをピアサー６４に接触させ、それを薄膜６５に対して付勢する。十分な力がかけられると、ピアサー６４により薄膜６５が破裂し、それにより活性剤６２が外側ハウジング５２の内部に放出され、そこで外側ハウジング５２の底部にある反応物質６６に接触するまで、内容物容器７０の周りを自由に下向きに流れることができる。反応物質６６としてＬａｖａＧｅｌを使用することの１つの利点は、反応を完全に完了するのに非常に少量の活性剤溶液（約１０〜１５ｍＬ）で十分なことである（用途に応じて使用する活性剤溶液はより多いかまたはより少ない場合がある）。活性剤６２の必要量が非常に少ないので、活性剤チャンバ５８は比例して小さく、好都合なことに蓋５４に設置することができる。発熱反応が始まると、外側ハウジング５２の内部の圧力の増加を防ぐように、反応ガスは蓋５４の通気孔５７を通って自由に漏れ出る。
【００４６】
図６において、反応物質６６は内容物容器７０の底部に直接接触していることが分かる。したがって、活性剤６２と反応物質６６とが混合されて発熱反応を起こすと、内容物容器７０の底部にある下側チャンバ８３内の内容物７４が最初に加熱され、一方、内容物容器７０の上部にある上側チャンバ８５内の内容物７４は、混合と対流によって温められるまで、最初のうち当初の温度のままである。このため、内容物容器７０と分配孔５６と間の流体連通の唯一の経路として導管７２を設けることは、重要な利点をもたらす。導管７２の下端が内容物容器７０の下側チャンバ８３の内部にある内容物７４と接触しているので、内容物７４の最も熱い部分が最初に導管７２を通って分配孔５６に移動する。具体的に言うと、これは、ユーザーが自己発熱容器５０を活性化したとき、ユーザーは内容物７４のすべてが熱くなるのを待つ必要がないことを意味する。それどころか、内容物７４が飲むことができる液体あると仮定すると、上側チャンバ８５にある内容物７４がまだ完全に熱くなっていなくても、ユーザーの「最初の一口」は熱くなっている。代わりに導管７２が内容物容器７０の上側チャンバ８５内にその下端を有する場合、ユーザーは内容物７４が完全に熱くなるまで数分間待たなければならない。
【００４７】
この導管７２と下側チャンバ８３と上側チャンバ８５の構成の別の利点は、「計量分配」と称する機能を提供することである。前述のとおり、導管７２は、内容物容器７０の内部と分配孔５６間の流体連通の唯一の経路である。言い換えれば、内容物容器７０の内部はその他の点では完全に密封される。したがって、ユーザーが一口飲む（または内容物７４を分配する）ために自己発熱容器５０をひっくり返したとき、液体の内容物７４は、重力によって下側チャンバ８３から導管７２を通って分配孔５６の外へと移動する。この内容物７４の下側チャンバ８３からの排出によって、内容物容器７０の内部の空気圧は、流出する内容物７４の体積に比例した量で低下する。最終的には、この内容物容器７０の内部における空気圧の低下により、導管７２を通る内容物７４の流れが停止する。一部の実施形態において、流れが停止する前に漏れ出る必要がある内容物７４の体積は約１５〜３０ｍｌであり、これは、下側チャンバ８３のおおよその容積であり、内容物７４が微温である場合にほとんどのユーザーにとって都合の良い「一口サイズ」である。しかしながら、内容物７４がその最高温度（例えば、約７０℃）である場合、ユーザーははるかに少量の内容物７４、例えば、約１〜３ｍｌを飲む可能性が高い。当然のことながら、より小さいかまたはより大きい一口サイズの量も意図される。一口が終わり、ユーザーが分配孔５６から彼または彼女の口を外して自己発熱容器５０を直立垂直位置に戻すと、空気が大気から導管７２を下って内容物容器７０に移動し、それにより空気圧を均等化して次の一口のために自己発熱容器５０を準備することができる。
【００４８】
計量された量の内容物７４が導管７２を通って下側チャンバ８３を出ると、前の一口の間に分配された内容物７４に取って代わるように、内容物７４が上側チャンバ８５から浸透孔８６を通って下側チャンバ８３内へ流れる。したがって、それぞれの一口の後、追加の内容物７４が下側チャンバ８３内に「閉じ込められ」、そこで内容物容器７０の下の発熱反応によって急速に加熱される。このようにして、ユーザーが取り込むそれぞれの一口は新たに加熱され、内容物容器７０の内容物７４の最も熱い部分を含む。
【００４９】
インスタント自己発熱容器５０を作るのに使用される材料は重要ではない。ただし、外側ハウジング５２は、再生紙などの紙、発泡ポリエチレンや発泡ポリプロピレンなどの発泡体、またはポリエチレンやポリプロピレンなどのプラスチックから作られてもよい。蓋５４および導管７２は、ポリプロピレン、ポリスチレン、ポリエチレンなどのいかなる好適なプラスチックから作られてもよい。内容物容器７０は、ポリプロピレンやポリエチレンなどのプラスチックおよび酢酸ポリエステルなどでラミネートした薄い金属箔から作られたパウチでもよい。
【００５０】
次に図９〜１９を参照して、インスタント自己発熱容器の第３実施形態を説明する。インスタント自己発熱容器のこの実施形態は、先に開示した課題を解決する脱毛ワックスディスペンサーとして使用するのに特に有利である。図９は、例示的な使い捨て可能な脱毛ワックスディスペンサー１００の斜視図である。例示的なディスペンサー１００は、外壁１０４と、蓋１０６と、内壁１０８と、活性剤溜め（活性剤ウェル）１１０とを有する容器１０２を含む。脱毛材料１１２は、内壁１０８と活性剤溜め１１０との間に配置される。発熱反応材料（図示せず）は、外壁１０４と内壁１０８との間に形成された発熱反応物質キャビティ（例えば、図１１参照）に配置される。活性剤溜め１１０は発熱反応への制御されたアクセスポータルを提供し、活性剤は発熱反応を活性化するべく活性剤溜め１１０と発熱反応物質キャビティとの間に形成された通路またはチャネル内に配置される。
【００５１】
容器１０２の上面は、タブ１２２を有するシーリング膜１２０によって密封される。例示的なディスペンサー１００を使用するとき、蓋１０６からタブ１２２を引張りまたは持ち上げることにより、シーリング膜１２０が容器１０２から取り除かれる。容器１０２の内部を密封／保護するためにシーリング膜１２０をリップ１０６へまたは容器１０２のある面へ取り付ける方法は、取り除く方法と同様、当分野においてよく知られている。したがって、本明細書ではこれらの特徴をこれ以上説明しない。
【００５２】
図９は容器１０２を、内壁１０８と中央ウェル１１０との間にドーナツ状の受入キャビティを形成するものとして示しているが、容器１０２は代替的に成形し得ることを理解されたい。例えば、脱毛材料１１２を収容する受入キャビティは、馬蹄形または長方形、或いは、以下でさらに論じるように、材料１１２を収容するように機能し且つ材料１１２の分散加熱を可能にする他の容積形状であってもよい。このように、現在のところドーナツ状のキャビティが効率的な熱分配のデザインと考えられるが、本明細書では他の多数の形状が意図されている。したがって、本開示の主旨及び範囲から逸脱することなく、図示の実施形態の形状、サイズ、割合に対して変更及び修正を行い得る。
【００５３】
図１０は、シーリング膜１２０を取り除いた状態の、図９の例示的なディスペンサーの上面図である。活性剤溜め１１０は、図１１に示すように活性剤を収容するためのキャビティを提供する内部窪み１１４を有して形成することができる。
【００５４】
図１１は、図９の例示的なディスペンサーの断面側面図である。図１１において、活性剤溜め１１０内に液体活性剤１２８が示されている。内部ウェル１２９の底部は、内壁１２４と外壁１０４との間に形成されたキャビティ１２６の内部で針１１５の上に直接配置される。キャビティ１２６は、発熱反応物質１１１を入れるのに十分な容積であり、必要に応じて、活性化の間に発熱反応１１１の拡大を可能にするように十分に大きい。
【００５５】
図１２は、活性化された図９の例示的なディスペンサーの別の断面側面図である。具体的には、下向きの力（矢印１３０で示す）により、内部ウェル１２９の底部が針１１５との接触で破壊される。
【００５６】
図１３に示すように、上向きの力または戻ろうとする力（矢印１３２で示す）によって、裂け目が大きく開き、活性剤１２８が発熱反応を促進するべく、容易にキャビティ１２６内に進入して発熱反応物質１１１と混ざることが可能になる。針１１５の形状は、必要であれば、活性化剤１２８を周囲の発熱反応物質１１１に均等に分配するように設計することができる。したがって、様々な実施形態において、針１１５を、本明細書に示されるものと異なる形状で構成してもよいし、内部ウェル１２９の底部の上または下に配置してもよい。
【００５７】
発熱反応物質キャビティとウェルとの間の通路を破壊するための他の手段、例えば、「引き紐」と「プルタブ」との組合せ、アクセス可能プラグなども考えられる。
【００５８】
その結果、施術師は、例えば、図１４に示すようにタブ１２２を引っ張ることにより、材料１１２をむき出しにするようにシーリング膜１２０を取り除くことができる。適切に活性化された発熱反応物質１１１によって、脱毛材料１１２は、すぐに所望の温度まで上げられ、ユーザーが利用する温度に十分に維持される。
【００５９】
図１５Ａは、液化したワックス１１２内の塗布具（アプリケータ）１４２と、発熱材料１１１（水蒸気、発熱性副産物など）からの排気ガス１４０が内部ウェル１２９の裂けた底部を通してどのように放出されて圧力を解放することができるかを示す。一般的に、発熱反応によってガスが生成されるため、圧力の解放は重要であり、キャビティ１２６からのそれらの放出は容器１０２の構造的完全性を維持する上で極めて重要である。一部の実施形態において、放出する排気ガス１４０に香りやエッセンシャルオイルやいい匂いを、キャビティ１２６内でまたは活性剤１２８の要素として加えることが望ましい場合がある。したがって、このような追加の要素によって、脱毛セッションの一部としてアロマセラピーを行うこともできる。
【００６０】
図１５Ｂは、発熱反応物質キャビティ１２６と活性剤溜め１１０の頂部および底部との間の通路を尖った端部１４３を有する塗布具１４２ｂを用いて破壊することができる別の実施形態を示す。この実施形態は、先の実施例に示された針１１５の必要性をなくす。この例示的な実施形態は、活性剤溜め１１０の頂部に塗布具１４２ｂの尖った端部１４３を押し込み（それによって活性剤溜め１１０の上でシール１２０を破壊し）、発熱キャビティ１２６への通路を破壊するように塗布具１４２ｂを活性剤溜め１１０の底部１２９内に押し下げることによって、始動させることができる。この実施形態の特徴は、放出する排気ガス１４０が、ディスペンサーからシール１２０の残り部分を取り除く前に、破壊されたシール１２０を通して発散することができることである。
【００６１】
明らかなように、容器１０２用の様々な材料は高温に耐える必要がある。当然のことながら、発熱反応物質１１１の種類および調整と使用される脱毛材料１１２の種類に応じて、温度は、高耐熱材料を必要としない程度に十分低くてもよい。したがって、本開示の主旨および範囲から逸脱することなく、様々な材料の組合せを使用し得る。
【００６２】
図１６は、別の例示的な使い捨て可能な脱毛材料ディスペンサーの実施形態２００の斜視図である。例示的なディスペンサー２００には、ガーゼ、細片、消毒ワイプなどを配置するためのトレイ２１５が設けられている。また、容器２０２は、図９の例示的なディスペンサー１００に見られるような円形よりはむしろ箱形である。当然のことながら、容器２０２の形状は、デザイン志向に応じて変更され得る。シーリング膜２２０は、以下で明らかにされる理由により、一端が長くなっている。
【００６３】
図１７は、シーリング膜２２０を取り除いた状態の、図１６の例示的なディスペンサー２００の上面図である。例示的なディスペンサー２００は、上記図面に示された内部ウェル１１０とは対照的に、ワックスチャンバ２２５に対して外側にあるウェル２１０を提供する。ウェル２１０は、ワックスチャンバ２２５の中心から離れているので、大量の活性剤を収容できるサイズにすることができ、それに加えて、必要であれば、ワックスチャンバ２２５をより大きくすることができるという事実もある。ウェル２１０の機能は、上述の内部ウェル１１０と同様である。活性剤２２８は、事前にウェル２１０内に置かれ、シーリング膜２２０により密封されることができる。ウェル２１０の中にまたは下に配置された針（図示せず）によって、二次化合物２２８を、発熱反応物質（図示せず）が入っている発熱反応物質チャンバ（図示せず）に導くことができる。
【００６４】
図１８は、図１７に示された例示的なディスペンサー２００の斜め断面図である。容器２０２は、発熱反応物質（図示せず）をキャビティ２２６内に収納する内壁２２４を有する。キャビティ２２６は、内壁２２４と内部ウェル２１０およびワックスチャンバ２２５の内部壁２１２との間に形成され、内部ウェル２１０の底部２１０ｂから発熱材料への二次化合物２２８の分配のための導管を提供する。内部壁２１２の重なり部分は、キャビティ２２６を「密封」し且つ活性化したときに発熱材料またはガスが漏れるのを防ぐために、容器２０２の様々な面２０２ｂに取り付けることができる。
【００６５】
ユーザーは、例えば、内部ウェル２１０の底部２１０ｂの下に配置された針（図示せず）または内部ウェル２１０の内部に配置された針（図示せず）を下に向かって押すなど何らかの方法によって、内部ウェル２１０の底部２１０ｂを破裂させることができる。他の実施形態において、内部ウェル２１０の底部２１０ｂの破裂を可能にするために、一端が尖った塗布具（図１９参照）を設けることが望ましい場合がある。二次化合物がキャビティ２２６に入ることを可能にするために内部ウェル２１０の底部２１０ｂまたはいずれかの部分を破裂させる手段はよく知られているので、本明細書ではこれ以上詳しく説明しない。発熱材料２１１（図示せず）を活性化すると、ワックスチャンバ２２５内でワックスの加熱が始まり、二次化合物２２８（図示せず）をキャビティ２２６内により均等に分配するように容器２０２を振ることによって加速させることができる。
【００６６】
図１９は、塗布具３２５を有するワックスディスペンサーサーブレット３００の斜視図である。この図は、様々なワックスをサーブレット３００の中へあらかじめ詰め、その後、容器２０２に取り付けることができることを示すのに有益である。ワックスディスペンサーサーブレット３００を容器２０２から分離できることにより、様々なワックスを（例えば、組み立てラインで）準備し、その後、例示的なワックスディスペンサー２００を形成するようにサーブレット３００を容器ブランクと結合することができる。当然のことながら、サーブレット３００は、トレイ２１５を有していない容器に合わせてもよいし、必要であれば、スタンドアロン型ワックスディスペンサーとして単独で提供されてもよい。また、容器２０２を次の使用のために保持する一方で、サーブレット３００を交換してもよい。例えば、使用済みのワックスディスペンサー２００に対して、使用済みのサーブレット３００を取り外して捨ててもよく、使用済みの発熱材料２１１を容器２０２から捨ててもよい。新しい発熱材料２１１を容器２０２に配置し、別のサーブレット３００を次の使用のためにそこに挿入してもよい。
【００６７】
図１５Ｂに関して述べたように、図１９に示す実施形態は、必要に応じて、塗布具３２５の尖った特徴を用いて穴開け機能または破壊機能を提供することができる。当然のことながら、塗布具３２５の尖った特徴は、必要であれば、ワックスを塗るのに使用することもできる。明らかなように、本明細書に開示された例示的な実施形態の様々な態様および要素に対して、発明の主旨および範囲から逸脱することなく、修正を行うことができる。例えば、図１６〜１８の容器は、図９〜１５のドーナツ状のワックスディスペンサー、または他の形状のワックスディスペンサーの受け入れを可能にするように構成されてもよい。また、発熱材料２１１を分配するのに異なる装填またはキャビティ２２６を使用してもよい。さらに、一部の実施形態において、トレイ２１５は、コンパクトさ（出荷時の）のため、または廃棄（使用済みワックスを対象とする）のために、ワックスチャンバ２２５の上または下に「折り畳む」ように設計されてもよい。
【００６８】
インスタント自己発熱容器の別の実施形態を図２０〜２３に示す。この実施形態は、例えば、（これに限定されるものではないが）脱毛ワックスのために、インスタント自己発熱ディスペンサーとして使用するのに特に有利である。はじめに図２０を参照すると、インスタント自己発熱ディスペンサー４００は、一端にノズル４１６を有する可撓性アウターチューブ４１０を含む。可撓性アウターチューブは、これに限定されるものではないが、ポリプロピレンやポリエチレンなどのプラスチックを含むいかなる可撓性材料から作られてもよい。アウターチューブ４１０の他端は開いているが、一旦組み立てられるとキャップ４１２により密封される。キャップ４１２は膜４１４によって密封された通気孔４１８を有する。膜４１４は、蒸気で容易に溶ける水性接着剤によって通気孔４１８の上に接着され得る。任意で、可撓性アウターチューブ４１０のノズル４１６に塗布具４２０が取り付けられる。塗布具４２０はアタッチメントモジュール４２２を含む。ローラー４２４などの塗布装置が、アタッチメントモジュール４２２に接続される。
【００６９】
しかしながら、他の塗布装置も考えられる。例えば、図２０Ａに示すように、塗布具４２０Ａは、アタッチメントモジュール４２２と、平行ブレード４２４Ａとを備える。ノズル４１６から分配される内容物は、アタッチメントモジュール４２２を通って平行ブレード４２４Ａ間のスペースに流れ、平行ブレード４２４Ａは分配された内容物を強制的に均等に広がらせる。同様に、図２０Ｂに示すように、塗布具４２０Ｂは、アタッチメントモジュール４２２と、注ぎ口４２３と、スキージ（すなわち、可撓性ゴム製ブレード）４２４Ｂとを備える。ノズル４１６から分配される内容物は、アタッチメントモジュール４２２を通ってスキージ４２４Ｂの前に流れ、スキージ４２４Ｂが面に接触して滑るときに、スキージ４２４Ｂは分配された内容物を強制的に均等に広がらせる。スポンジなどの他の塗布装置を使用することもできる。
【００７０】
引き続き図２０〜２３を参照すると、インスタント自己発熱ディスペンサー４００はまた、可撓性反応容器４３０と、脆性活性剤容器４４０とを含む。可撓性反応容器４３０は可撓性アウターチューブ４１０の内部に配置され、脆性活性剤容器４４０は可撓性反応容器４３０の内部に配置される。脆性活性剤容器４４０は、折り曲げることによって容易に破裂させられ、例えば、約１ｍｍの壁厚を有する非常に薄肉のガラス管であってもよい。脆性活性剤容器４４０には活性剤４４２が入っており、活性剤４４２は水や電解液などの液体であってもよい。可撓性反応容器４３０は、軟質プラスチック管であってもよく、または単にプラスチックやラテックスから作られた不透過性パウチであってもよい。可撓性反応容器４３０には反応物質４３２が入っており、反応物質４３２は可撓性反応容器４３０の内部で、或いはより有利には、細長い水透過性パウチの内部で自由に動き得る。一実施形態において、反応物質４３２は、既に開示したインスタント自己発熱容器の実施形態に関して述べたＬａｖａＧｅｌである。
【００７１】
可撓性反応容器４３０と脆性活性剤容器４４０とが可撓性アウターチューブ４１０の内部に収まると、可撓性アウターチューブ４１０は加熱すべき内容物４５０で満たされる。可撓性アウターチューブ４１０が内容物４５０で満たされると、キャップ４１２が可撓性アウターチューブ４１０の開放端に固定される。キャップ４１２は、スピン溶接や熱または超音波溶接や接着剤を含むいかなる適切な手段によってアウターチューブ４１０に固定されてもよい。塗布具４２０（４２０Ａまたは４２０Ｂ）のアタッチメントモジュール４２２も、ねじ接続やプレスフィット接続や接着剤を含むいかなる適切な手段によってノズル４１６に接続されてもよい。
【００７２】
インスタント自己発熱ディスペンサー４００を使用するために、ユーザーはアウターチューブ４１０を脆性活性剤容器４４０が破裂するまで折り曲げる。これが起こると、活性剤４４２は直ちに可撓性反応容器４３０内に解放され、可撓性反応容器４３０において反応物質４３２と結合し、発熱反応を引き起こす。蒸気などの排気ガスは、膜４１４が破裂または引き裂かれ、それにより通気孔４１８を通して排気ガスを解放するまで、可撓性反応容器４３０の内部の圧力を高める。膜４１４をキャップ４１２に取り付けるのに水性接着剤を使用する場合、排気ガス内の蒸気が接着剤を素早く溶かし、膜４１４の除去が容易になる。
【００７３】
可撓性反応容器４３０は脆性ではなく、したがってアウターチューブ４１０の折り曲げにもかかわらず無傷のままであるから、結合された反応物質と活性剤混合物は内容物４５０と混合されない。正しくは、内容物４５０は可撓性反応容器４３０の壁を介した伝導によって加熱される。可撓性反応容器４３０は内容物４５０に包まれているので、内容物４５０は内側からすべての方向に均等に加熱される。内容物４５０はしたがって非常に急速に加熱される。内容物４５０が脱毛ワックスである場合、ワックスは素早く溶けて、いつでも脚などの体の部分に塗ることができる。塗布具４２０をキャップ４１２より下にした状態でインスタント自己発熱ディスペンサーを保持することにより、内容物４５０はノズル４１６を出て塗布具４２０に入り、ローラー２４上に流出することができる。ローラー４２４を体の部分に沿って転がすことにより、体の部分への内容物４５０の均等な分配が達成される。
【００７４】
インスタント自己発熱ディスペンサー４００の大きさは重要ではない。一実施形態において、インスタント自己発熱容器は長さがおよそ２０ｃｍで外径が３．０ｃｍである。しかしながら、自己発熱ディスペンサー４００のコンセプトは、はるかに長いか短いか厚いか薄いディスペンサーを含む任意の寸法に容易に適合させることができる。可撓性反応容器４３０と脆性活性剤容器４４０の寸法は、これらの容器が可撓性アウターチューブ４１０の内部に収まる必要があるので、可撓性アウターチューブ４１０の寸法により幾分か決められる。一実施形態において、可撓性反応容器４３０の外径は１．５ｃｍであり、脆性活性剤容器４４０の外径は１．０ｃｍである。当然ながら、本開示の範囲および主旨から逸脱することなく、様々な寸法の可撓性アウターチューブ４１０、可撓性反応容器４３０、および脆性活性剤容器４４０を使用することができる。最後に、一実施形態において、可撓性アウターチューブ４１０は１５ｇの脱毛ワックスを入れることができる。当然ながら、可撓性アウターチューブ４１０の内部にある内容物の量は、可撓性アウターチューブ４１０と可撓性反応容器４３０の相対的な寸法によって決まり、したがってインスタント自己発熱ディスペンサー４００のサイズに応じて、いかなる量の内容物を可撓性アウターチューブ４１０の内部に設けてもよい。
【００７５】
発明の本質を説明するために本明細書に記載され、説明された部分の詳細、材料、工程、および配置における多くの付加的な変更が、添付の特許請求の範囲に示す発明の原理および範囲内で当業者により行われ得ることを理解されたい。
【図１】
2013500216.tif 000003
【図２】
2013500216.tif 000004
【図３】
2013500216.tif 000005
【図４】
2013500216.tif 000006
【図５】
2013500216.tif 000007
【図６Ａ】
2013500216.tif 000008
【図６Ｂ】
2013500216.tif 000009
【図６Ｃ】
2013500216.tif 000010
【図７】
2013500216.tif 000011
【図８】
2013500216.tif 000012
【図９】
2013500216.tif 000013
【図１０】
2013500216.tif 000014
【図１１】
2013500216.tif 000015
【図１２】
2013500216.tif 000016
【図１３】
2013500216.tif 000017
【図１４】
2013500216.tif 000018
【図１５Ａ】
2013500216.tif 000019
【図１５Ｂ】
2013500216.tif 000020
【図１６】
2013500216.tif 000021
【図１７】
2013500216.tif 000022
【図１８】
2013500216.tif 000023
【図１９】
2013500216.tif 000024
【図２０】
2013500216.tif 000025
【図２０Ａ】
2013500216.tif 000026
【図２０Ｂ】
2013500216.tif 000027
【図２１】
2013500216.tif 000028
【図２２】
2013500216.tif 000029
【図２３】
2013500216.tif 000030
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
第１シェルと、前記第１シェルに対して外側にあり且つ前記第１シェルと入れ子になった第２シェルとを備えるインスタント自己発熱容器であって、
第１シェルが、
加熱すべき内容物を入れたターゲット容器と、
活性剤容器であって、活性剤と、前記活性剤容器内に配置されたピアサーとを入れた、底部を有する活性剤容器と、
を含み、
前記活性剤容器と前記ターゲット容器が各々、前記加熱すべき内容物と前記活性剤との混合を防ぐ容器壁を有し、
前記第２シェルが、前記ターゲット容器と入れ子になった反応チャンバと、前記活性剤チャンバと入れ子になり且つ前記反応チャンバと流体連通する活性剤受入チャンバとを含み、前記反応チャンバが、そこに配置された反応物質をさらに含み、
前記ピアサーを作動させると、前記活性剤チャンバに穴があけられ、それにより前記活性剤容器が前記活性剤受入チャンバと流体連通し、活性剤が前記活性剤容器から前記活性剤受入チャンバ内および前記反応チャンバ内に移動することが可能になり、前記活性剤が前記反応チャンバ内で前記反応物質と結合し、前記ターゲット容器内で前記内容物を加熱する発熱反応を引き起こす、インスタント自己発熱容器。
【請求項２】
前記ターゲット容器の内部で前記加熱すべき内容物を密封する内容物カバーをさらに備え、前記内容物カバーが、前記ターゲット容器にアクセスできるように開閉可能な部分を少なくとも有する、請求項１に記載のインスタント自己発熱容器。
【請求項３】
前記活性剤容器の内部で前記活性剤を密封する活性剤カバーをさらに備える、請求項２に記載のインスタント自己発熱容器。
【請求項４】
前記内容物カバーと前記活性剤カバーとが単一の容器カバーの一体部分である、請求項３に記載のインスタント自己発熱容器。
【請求項５】
前記第１シェルが、前記ターゲット容器と前記活性剤容器とを取り囲むフラットフランジをさらに備え、前記単一の容器カバーが、前記第１シェルの前記フラットフランジに接着されたピールバックカバーである、請求項４に記載のインスタント自己発熱容器。
【請求項６】
前記ターゲット容器が、前記ターゲット容器内へ上向きに延びる少なくとも１つの突起を有する底部を有する、請求項１に記載のインスタント自己発熱容器。
【請求項７】
前記少なくとも１つの突起が第１リングの形をしている、請求項６に記載のインスタント自己発熱容器。
【請求項８】
前記ターゲット容器の前記底部に、前記第１リングと同心の第２リングの形をしている第２突起をさらに備える、請求項７に記載のインスタント自己発熱容器。
【請求項９】
前記ピアサーが、尖った下端と、前記活性剤容器の上端に隣接する上端とを有する十字形部材である、請求項１に記載のインスタント自己発熱容器。
【請求項１０】
前記活性剤容器が、加熱されると有益な吸入蒸気を放出するエッセンシャルオイルを入れている、請求項１に記載のインスタント自己発熱容器。
【請求項１１】
インスタント自己発熱容器であって、
開放上端と閉鎖下端とを有する外側ハウジングと、
前記外側ハウジングの前記開放上端に取り付けられ、分配孔と活性剤チャンバとを含む蓋と、
前記蓋の前記活性剤チェンバの内部に配置されたピアサーと、
前記外側ハウジングの内部で前記ハウジングの前記閉鎖下端に配置された反応物質と、
下端と密封された上端とを有し、前記外側ハウジングの内部で前記反応物質の上に配置され、加熱すべき内容物を入れた内容物容器と、
前記内容物容器の前記下端と前記蓋の前記分配孔とを流体連通する導管と
を備える、インスタント自己発熱容器。
【請求項１２】
前記ピアサーを作動させると、前記蓋にある前記活性剤チャンバに穴が開けられ、それにより、前記内容物容器内で前記加熱すべき内容物を加熱する発熱反応を引き起こすように、前記活性剤が前記外側ハウジングの内部に流れ、前記外側ハウジングの前記閉鎖下端で前記反応物質と結合することが可能になる、請求項１１に記載のインスタント自己発熱容器。
【請求項１３】
前記蓋が通気孔をさらに備える、請求項１１に記載のインスタント自己発熱容器。
【請求項１４】
前記蓋が気密シールをさらに備え、前記気密シールが、前記加熱すべき内容物が前記気密シールを破壊する前に前記インスタント自己発熱容器から漏れ出ることを防止する、請求項１１に記載のインスタント自己発熱容器。
【請求項１５】
前記活性剤チャンバが膜を備える下端を有し、前記ピアサーを押して前記膜を貫通させることにより前記活性剤チャンバに穴が開けられる、請求項１１に記載のインスタント自己発熱容器。
【請求項１６】
前記活性剤チャンバが、少なくとも前記活性剤チャンバの前記上端に下向きの力が加えられたときに前記ピアサーに接触する下方移動可能な上端を有する、請求項１１に記載のインスタント自己発熱容器。
【請求項１７】
前記内容物容器がパウチである、請求項１１に記載のインスタント自己発熱容器。
【請求項１８】
前記パウチが、入れ子にできる外側ガセットと内側ガセットとを含む下端を有する、請求項１７に記載のインスタント自己発熱容器。
【請求項１９】
前記パウチの内側ガセットが少なくとも１つの浸透孔を含む、請求項１８に記載のインスタント自己発熱容器。
【請求項２０】
前記導管がストローである、請求項１１に記載のインスタント自己発熱容器。
【請求項２１】
前記導管が前記パウチと一体成形される、請求項１７に記載のインスタント自己発熱容器。
【請求項２２】
前記反応物質が前記内容物容器の前記下端に直接接触している、請求項１１に記載のインスタント自己発熱容器。
【請求項２３】
前記反応物質が、前記内容物容器の前記下端と直接接触するパウチの内部に配置される、請求項１１に記載のインスタント自己発熱容器。
【請求項２４】
前記加熱すべき内容物が、前記内容物容器から前記分配孔を通して計量された量で放出される、請求項１１に記載のインスタント自己発熱容器。
【請求項２５】
インスタント自己発熱脱毛ワックス容器であって、
開放上端を有する外側シェルと、
前記外側シェルと入れ子になった内側シェルであって、前記外側シェルの前記開放上端の周りに接着され、それにより前記内側シェルと前記外側シェルとの間に密閉反応キャビティを形成し、一体化された受入キャビティと、破壊可能な下端を有する一体化された活性剤溜めとを含み、前記活性剤溜めが活性剤を入れた内側シェルと、
前記受入キャビティ内に含まれる脱毛材料と、
前記密閉反応キャビティ内に配置された反応物質であって、前記活性剤溜めの前記破壊可能な下端を破壊して前記密閉反応キャビティに活性剤を導入することにより活性化され、それにより発熱反応を生成し、前記脱毛材料の調節された加熱をもたらす、反応物質と
を備えるインスタント自己発熱脱毛ワックス容器。
【請求項２６】
前記受入キャビティを密閉する除去可能なシールをさらに備える、請求項２５に記載のインスタント自己発熱脱毛ワックス容器。
【請求項２７】
前記活性剤が電解質溶液である、請求項２５に記載のインスタント自己発熱脱毛ワックス容器。
【請求項２８】
前記活性剤が水である、請求項２５に記載のインスタント自己発熱脱毛ワックス容器。
【請求項２９】
前記活性剤溜めが前記内側シェルに対して内側にある、請求項２５に記載のインスタント自己発熱脱毛ワックス容器。
【請求項３０】
前記活性剤溜めが前記内側シェルに対して外側にある、請求項２５に記載のインスタント自己発熱脱毛ワックス容器。
【請求項３１】
前記外側シェルに接続されたオープントレイをさらに備える、請求項２５に記載のインスタント自己発熱脱毛ワックス容器。
【請求項３２】
前記活性剤溜めの前記破壊可能な下端が、前記活性剤溜めの前記破壊可能な下端に力をかけることにより破壊される、請求項２５に記載のインスタント自己発熱脱毛ワックス容器。
【請求項３３】
前記反応キャビティと前記活性剤溜めの少なくとも一方に芳香族化合物をさらに備える、請求項２５に記載のインスタント自己発熱脱毛ワックス容器。
【請求項３４】
前記脱毛剤化合物がワックスをベースとする、請求項２５に記載のインスタント自己発熱脱毛ワックス容器。
【請求項３５】
前記脱毛剤化合物が樹脂をベースとする、請求項２５に記載のインスタント自己発熱脱毛ワックス容器。
【請求項３６】
前記内側シェルがドーナツ形である、請求項２５に記載のインスタント自己発熱脱毛ワックス容器。
【請求項３７】
前記外側シェルが使い捨て可能である、請求項２５に記載のインスタント自己発熱脱毛ワックス容器。
【請求項３８】
インスタント自己発熱ディスペンサーであって、
分配ノズルを有する第１端と、第２開放端とを有し、加熱すべき内容物を含む可撓性アウターチューブと、
前記アウターチューブの内部に配置され、前記加熱すべき内容物と接触し、反応物質を含む可撓性反応容器と、
前記反応容器の内部に配置され、活性剤を含む脆性活性剤容器と、
前記アウターチューブの前記第２開放端に取り付けられ、前記反応容器と前記アウターチューブの前記第２開放端を覆い、前記可撓性反応容器と流体連通する通気孔を含むキャップと
を備え、
前記アウターチューブを折り曲げることにより、前記脆性活性剤容器が破裂して前記反応容器内に活性剤を放出し、前記反応容器で前記活性剤が前記反応物質と結合して発熱反応を引き起こし、前記発熱反応が前記アウターチューブ内の前記加熱すべき内容物を加熱する、インスタント自己発熱ディスペンサー。
【請求項３９】
前記加熱すべき内容物が脱毛ワックスである、請求項３８に記載のインスタント自己発熱ディスペンサー。
【請求項４０】
前記分配ノズルに取り付けられる塗布具をさらに備える、請求項３８に記載のインスタント自己発熱ディスペンサー。
【請求項４１】
前記塗布具がローラーを含む、請求項４０に記載のインスタント自己発熱ディスペンサー。
【請求項４２】
前記塗布具が少なくとも２つの並列パドルを含む、請求項４０に記載のインスタント自己発熱ディスペンサー。
【請求項４３】
前記塗布具がスキージを含む、請求項４０に記載のインスタント自己発熱ディスペンサー。
【請求項４４】
前記反応容器を密封するために前記キャップの前記通気孔の上に接着された膜をさらに備える、請求項３８に記載のインスタント自己発熱ディスペンサー。
【請求項４５】
前記膜が、水性接着剤で前記キャップの前記通気孔の上に接着され、前記水性接着剤が前記反応容器内で前記活性剤と前記反応物質を結合することによって引き起こされる前記発熱反応によって生成される蒸気で溶解する、請求項４４に記載のインスタント自己発熱ディスペンサー。
【請求項４６】
前記反応物質が前記反応容器の内部にある細長い水透過性パウチ内に配置される、請求項３８に記載のインスタント自己発熱ディスペンサー。
【国際調査報告】
2013500216.tif 000031
2013500216.tif 000032